(57)【要約】【課題】複数のユーザが近接してＦＭトランスミッターを使用した場合においても混信を回避する。【解決手段】携帯電話機の位置情報とＦＭトランスミッターにて使用する周波数とをデータベース６に登録しておき、携帯電話機３ａから位置情報とＦＭトランスミッターにて使用する周波数が送信されてきた場合、携帯電話機３ａに近接する携帯電話機が存在する場合であって、その携帯電話機がＦＭトランスミッターにて使用する周波数が携帯電話機３ａがＦＭトランスミッターにて使用する周波数と同一である場合、ＦＭトランスミッターにて使用する周波数の変更指示を携帯電話機３ａに送信する。【選択図】図１
2012147246.tif 000002
【特許請求の範囲】
【請求項１】
携帯電話機に備えられたＦＭトランスミッターの周波数を選択するための周波数選択システムであって、
携帯電話機の位置情報と当該携帯電話機のＦＭトランスミッターにて使用されている周波数とを対応づけてデータベースに登録するサーバーを有し、
携帯電話機は、当該携帯電話機の位置情報とＦＭトランスミッターにて使用する周波数とを前記サーバーに送信し、
前記サーバーは、携帯電話機から当該携帯電話機の位置情報とＦＭトランスミッターにて使用する周波数が送信されてきた場合、前記データベースを確認し、当該携帯電話機に近接する携帯電話機が存在する場合であって、該携帯電話機がＦＭトランスミッターにて使用する周波数が、前記位置情報及び周波数を送信してきた携帯電話機がＦＭトランスミッターにて使用する周波数と同一である場合、前記位置情報及び周波数を送信してきた携帯電話機に対してＦＭトランスミッターにて使用する周波数の変更指示を送信する周波数選択システム。
【請求項２】
請求項１に記載の周波数選択システムにおいて、
前記サーバーは、携帯電話機から送信されてくる位置情報の変化に基づいて当該携帯電話機の移動先の位置を推測し、携帯電話機から当該携帯電話機の位置情報とＦＭトランスミッターにて使用する周波数が送信されてきた場合、その推測結果に基づいて、当該携帯電話機に近接する携帯電話機が存在するかどうかを判断する周波数選択システム。
【請求項３】
携帯電話機に備えられたＦＭトランスミッターの周波数を、携帯電話機の位置情報と当該携帯電話機のＦＭトランスミッターにて使用されている周波数とを対応づけてデータベースに登録するサーバーを用いて選択する周波数選択方法であって、
携帯電話機が、当該携帯電話機の位置情報とＦＭトランスミッターにて使用する周波数とを前記サーバーに送信し、
前記サーバーが、携帯電話機から当該携帯電話機の位置情報とＦＭトランスミッターにて使用する周波数が送信されてきた場合、前記データベースを確認し、当該携帯電話機に近接する携帯電話機が存在する場合であって、該携帯電話機がＦＭトランスミッターにて使用する周波数が、前記位置情報及び周波数を送信してきた携帯電話機がＦＭトランスミッターにて使用する周波数と同一である場合、前記位置情報及び周波数を送信してきた携帯電話機に対してＦＭトランスミッターにて使用する周波数の変更指示を送信する周波数選択方法。
【請求項４】
請求項３に記載の周波数選択方法において、
前記サーバーが、携帯電話機から送信されてくる位置情報の変化に基づいて当該携帯電話機の移動先の位置を推測し、携帯電話機から当該携帯電話機の位置情報とＦＭトランスミッターにて使用する周波数が送信されてきた場合、その推測結果に基づいて、当該携帯電話機に近接する携帯電話機が存在するかどうかを判断する周波数選択方法。
【発明の詳細な説明】
【技術分野】
【０００１】
本発明は、ＦＭトランスミッターの周波数を選択するための周波数選択システム及び周波数選択方法に関する。
【背景技術】
【０００２】
現在、携帯電話機は、情報交換や情報収集の面から、生活にはなくてはならないツールとなりつつある。そして、世の中に登場した当時は、通話機能しか有していないものがほとんどであったが、近年では、一般のパーソナルコンピュータと同様に、電子メールを送信したり、インターネットに接続したりすることができるようになり、さらには、音楽等のコンテンツを記憶し、そのコンテンツを車載オーディオにＦＭ周波数を用いて送信する機能を有するものもある。
【０００３】
このように、携帯電話機に記憶された音楽を車載オーディオに送信するものにおいては、ＦＭトランスミッターが内蔵されており、携帯電話機に記憶された音楽をＦＭトランスミッターにてＦＭ波に変調して車載オーディオに送信することになる。車載オーディオにおいては、携帯電話機から送信されてきた音楽をＦＭアンテナにて受信してＦＭチューナーで復調し、それにより、車載オーディオで音楽を聴くことが可能となる。
【０００４】
ここで、ＦＭトランスミッターにて使用する周波数は、一般のＦＭ放送局が使用する周波数帯と同一であるため、使用者はＦＭ放送局と混信しないようにＦＭトランスミッターの周波数を選択する必要がある。そこで、携帯電話機内に、ＦＭ放送局が使用する周波数をそのＦＭ放送局の位置情報と対応づけて記憶しておき、ＦＭトランスミッターにて使用する周波数を、携帯電話機の現在位置に応じてＦＭ放送局が利用する周波数とは異なる周波数に設定する技術が、例えば特許文献１に開示されている。
【先行技術文献】
【特許文献】
【０００５】
【特許文献１】特開２００８−１０９４９６号公報
【発明の概要】
【発明が解決しようとする課題】
【０００６】
しかしながら、特許文献１に開示された技術においては、ＦＭトランスミッターにて使用する周波数を、携帯電話機の現在位置に応じてＦＭ放送局が利用する周波数とは異なる周波数に設定するものであるため、ＦＭ放送局との混信を回避することができるものの、複数のユーザが、ＦＭトランスミッターにて同一の周波数を用いた場合、複数のユーザの距離が十分に離れていれば混信の恐れはないが、複数のユーザが近接した場合、混信を起こし、ＦＭトランスミッターを快適に使用することができなくなってしまうという問題点がある。
【０００７】
本発明は、上述したような技術が有する問題点に鑑みてなされたものであって、複数のユーザが近接してＦＭトランスミッターを使用した場合においても混信を回避することができる周波数選択システム及び周波数選択方法を提供することを目的とする。
【課題を解決するための手段】
【０００８】
上記目的を達成するために本発明は、
携帯電話機に備えられたＦＭトランスミッターの周波数を選択するための周波数選択システムであって、
携帯電話機の位置情報と当該携帯電話機のＦＭトランスミッターにて使用されている周波数とを対応づけてデータベースに登録するサーバーを有し、
携帯電話機は、当該携帯電話機の位置情報とＦＭトランスミッターにて使用する周波数とを前記サーバーに送信し、
前記サーバーは、携帯電話機から当該携帯電話機の位置情報とＦＭトランスミッターにて使用する周波数が送信されてきた場合、前記データベースを確認し、当該携帯電話機に近接する携帯電話機が存在する場合であって、該携帯電話機がＦＭトランスミッターにて使用する周波数が、前記位置情報及び周波数を送信してきた携帯電話機がＦＭトランスミッターにて使用する周波数と同一である場合、前記位置情報及び周波数を送信してきた携帯電話機に対してＦＭトランスミッターにて使用する周波数の変更指示を送信する。
【発明の効果】
【０００９】
本発明は、上述したように構成されているため、複数のユーザが近接してＦＭトランスミッターを使用した場合においても混信をせずに快適にＦＭトランスミッターを使用することができる。
【図面の簡単な説明】
【００１０】
【図１】本発明の周波数選択システムの実施の一形態を示す図である。
【図２】図１に示した携帯電話機の構成を示すブロック図である。
【図３】図１に示した周波数選択システムにおける周波数選択方法の一例を説明するためのフローチャートである。
【図４】図１に示した周波数選択システムにおける周波数選択方法の他の例を説明するためのフローチャートである。
【発明を実施するための形態】
【００１１】
以下に、本発明の実施の形態について図面を参照して説明する。
【００１２】
図１は、本発明の周波数選択システムの実施の一形態を示す図である。
【００１３】
本形態は図１に示すように、２台の車両１ａ，１ｂに乗っている利用者がそれぞれ所持する携帯電話機３ａ，３ｂと、この携帯電話機３ａ，３ｂから基地局４を介してアクセス可能なサーバー５とから構成されている。車両１ａ，１ｂには、ＦＭアンテナ２ａ，２ｂが搭載されており、携帯電話機３ａ，３ｂから送信されたＦＭ信号が、このＦＭアンテナ２ａ，２ｂを介して車両１ａ，１ｂに搭載された車載オーディオにて受信される。サーバー５には、データベース６が設けられており、携帯電話機３ａ，３ｂの位置情報と携帯電話機３ａ，３ｂのＦＭトランスミッターにて使用されている周波数とが対応づけられてデータベース６に登録されている。
【００１４】
図２は、図１に示した携帯電話機３ａ，３ｂの構成を示すブロック図である。
【００１５】
図１に示した携帯電話機３ａ，３ｂは図２に示すうように、基地局４を介してサーバー５との間にて通信を行うアンテナ１１及び携帯電話無線部１２と、車載オーディオに送信する音楽等を含む各種情報を記憶するメモリー部１８と、メモリー部１３に記憶された音楽等の情報をＦＭ信号として車載オーディオに対して送信するＦＭトランスミッター機能となるアンテナ１３及びＦＭトランスミッター無線部１４と、ＧＰＳ衛星からの信号を受信することにより携帯電話機３ａ，３ｂの位置情報を取得するアンテナ１５及びＧＰＳ無線部１６と、操作キー等からなる操作部１９と、ＬＣＤ等の表示部２０と、これを制御する制御部１７とから構成されている。
【００１６】
以下に、上記のように構成された周波数選択システムにおける周波数選択方法について説明する。
【００１７】
図３は、図１に示した周波数選択システムにおける周波数選択方法の一例を説明するためのフローチャートである。
【００１８】
まず、車両１ｂに乗っている利用者が、携帯電話機２ｂのメモリー部１８に記憶された音楽をＦＭトランスミッター無線部１４及びアンテナ１３を介して車両１ｂの車載オーディオに送信し、携帯電話機２ｂのメモリー部１８に記憶された音楽を聴く場合、それに先立って後述する処理によって、携帯電話機２ｂの現在の位置情報がアンテナ１５及びＧＰＳ無線部１６にて取得され、この位置情報と、ＦＭトランスミッター無線部１４及びアンテナ１３からなるＦＭトランスミッターにて使用されている周波数とが、携帯電話機２ｂからアンテナ１１及び携帯電話無線部１２によって送信され、この位置情報と周波数とが基地局４を介してサーバー５にて受信され、データベース６に登録される。すなわち、データベース６には、携帯電話機２ｂの位置情報とＦＭトランスミッター無線部１４にて使用されている周波数とが対応づけて登録されている。
【００１９】
車両１ａに乗っている利用者が、携帯電話機３ａにてＦＭトランスミッターの使用を開始すると（ステップＳ１）、携帯電話機３ａは、アンテナ１５及びＧＰＳ無線部１６にてＧＰＳ衛星からの信号を受信してＧＰＳ測位を実施することによって携帯電話機３ａの位置情報を取得し、この位置情報と、携帯電話機３ａにてＦＭトランスミッターの使用において予め設定されているＦＭ周波数とを、携帯電話無線部１２及びアンテナ１１から送信し、基地局４を介してサーバー５に送信する（ステップＳ２）。
【００２０】
すると、サーバー５は、データベース６を確認し、携帯電話機３ａの近隣に、携帯電話機３ａにて使用する周波数と同一の周波数を使用している携帯電話機が存在するかどうかを判断する（ステップＳ３）。ここで、データベース６には、ＦＭトランスミッターを使用している携帯電話機について、その位置情報と使用している周波数とが対応づけて登録されているため、これらの情報を用いて上記判断をすることができる。
【００２１】
携帯電話機３ａの近隣に、携帯電話機３ａにて使用する周波数と同一の周波数を使用している携帯電話機が存在しない場合、例えば、携帯電話機３ａと携帯電話機３ｂとの位置が十分に離れており、ＦＭ周波数の干渉が無いと判断した場合、サーバー５は、その旨を携帯電話機３ａに送信し、携帯電話機３ａは予め設定されていたＦＭ周波数でＦＭトランスミッターを使用する（ステップＳ４）。
【００２２】
一方、携帯電話機３ａの近隣に、携帯電話機３ａにて使用する周波数と同一の周波数を使用している携帯電話機が存在する場合、例えば、携帯電話機３ａと携帯電話機３ｂとの位置が近く、かつ、携帯電話機３ｂが携帯電話機３ａの使用予定のＦＭ周波数を使用していた場合、サーバー５は、携帯電話機３ａに対してＦＭ周波数の変更指示を送信し、携帯電話機３ａは、ＦＭトランスミッターにて使用するＦＭ周波数を変更する（ステップＳ５）。なお、このＦＭ周波数の変更は、携帯電話機３ａにて自動で行ってよいし、携帯電話機３ａの使用者が手動で行ってもよい。
【００２３】
（他の実施の形態）
上述した実施の形態では、ＦＭトランスミッター使用開始時に、近傍のＦＭトランスミッター使用者の有無を判別したが、ＦＭトランスミッター使用中に定期的にＦＭトランスミッター使用者の存在を判定するようにする構成とすることも考えられる。
【００２４】
図４は、図１に示した周波数選択システムにおける周波数選択方法の他の例を説明するためのフローチャートである。
【００２５】
ステップＳ１１〜Ｓ１５までの処理は、図３のフローチャートに示したステップＳ１〜Ｓ５までの処理と同様である。
【００２６】
その後、携帯電話機３ａは、ＦＭトランスミッターを使用中であるかどうかを判定し（ステップＳ１６）、ＦＭトランスミッターを使用中であれば、ステップＳ１２における処理に戻り、使用しているＦＭ周波数と携帯電話機３ａの位置情報とを定期的にサーバー５に送信する。また、ＦＭトランスミッターの使用を終了する場合は、全ての処理を終了し、動作完了とする。
【００２７】
このように本形態においては、携帯電話機３ａ，３ｂの位置情報を定期的にサーバー５に送信することにより、携帯電話機３ａ，３ｂが車で移動している場合でも、サーバー５では、携帯電話機３ａ，３ｂの位置情報を把握することが可能となり、ＦＭ周波数の混信を防ぐことが可能となる。
【００２８】
また、サーバー５において、携帯電話機３ａ，３ｂから定期的に送信されてくる位置情報の変化に基づいて携帯電話機３ａ，３ｂの移動範囲や移動方向による移動先の位置を推測し、その推測結果に基づいて、携帯電話機３ａ，３ｂに近接する携帯電話機が存在するかどうかを判断し、携帯電話機３ａ，３ｂに対してＦＭ周波数の変更指示を予め送信する構成とすることも考えられる。
【符号の説明】
【００２９】
１ａ，１ｂ    車両
２ａ，２ｂ    ＦＭアンテナ
３ａ，３ｂ    携帯電話機
４    基地局
５    サーバー
６    データベース
１１，１３，１５    アンテナ
１２    携帯電話無線部
１４    ＦＭトランスミッター
１６    ＧＰＳ無線部
１７    制御部
１８    メモリー部
１９    操作部
２０    表示部
【図１】
2012147246.tif 000003
【図２】
2012147246.tif 000004
【図３】
2012147246.tif 000005
【図４】
2012147246.tif 000006